(57)【要約】【課題】  本発明は立体感が得られる表示を得られ、モータの回転によって表示を変えることができ、かつ照明装置も効果的に設置が可能な、新鮮味があり、効果的に表示することができる表示装置を得るにある。【解決手段】  前面が開口されたケース体と、このケース体に取付けられた回転角度を任意に制御することができるモータと、このモータによって回転されるように一端部が取付けられ、他端部が開口し、外周部に少なくとも2個以上の表示部を有する、前記ケース体内に位置する球体表示具と、前記ケース体の前面開口を覆うように取付けられた複数枚のシャッタ羽根の回動によって、該ケース体内の球体表示具の表示部を見えたり、見えない状態にすることができるシャッタ表示装置とで表示装置を構成している。【選択図】  図３
2007097856.tif 000002
【特許請求の範囲】
【請求項１】
前面が開口されたケース体と、このケース体に取付けられた回転角度を任意に制御することができるモータと、このモータによって回転されるように一端部が取付けられ、他端部が開口し、外周部に少なくとも2個以上の表示部を有する、前記ケース体内に位置する球体表示具と、前記ケース体の前面開口を覆うように取付けられた複数枚のシャッタ羽根の回動によって、該ケース体内の球体表示具の表示部を見えたり、見えない状態にすることができるシャッタ表示装置とからなることを特徴とする表示装置。
【請求項２】
前面および上面が開口されたケース体と、このケース体の下面に取付けられた回転角度を任意に制御することができるモータと、このモータによって回転されるように下端部が取付けられ、上端部が開口し、外周部に少なくとも2個以上の表示部を有する、少なくとも2個以上に分割された前記ケース体内に位置する球体表示具と、前記ケース体の上面を覆う前記球体表示具の内部に発光体を位置させることができる照明装置を備えた上面カバーと、前記ケース体の前面開口を覆うように取付けられた複数枚のシャッタ羽根の回動によって、該ケース体内の球体表示具の表示部を見えたり、見えない状態にすることができるシャッタ表示装置とからなることを特徴とする表示装置。
【請求項３】
シャッタ表示装置は球体表示具の表示部を中央部の透過部を介して見ることができるように形成されたシャッタカバーと、このシャッタカバーの透過部を覆わないように、該シャッタカバーの背面に回動可能に取付けられた羽根稼動リングと、この羽根稼動リングを回動させる回動機構と、前記羽根稼動リングに枢支ピンで枢支された前記シャッタカバーの透過部の開閉可能に回動する複数枚のシャッタ羽根と、前記羽根稼動リングの回動によって前記複数枚のシャッタ羽根を開閉できるように、該シャッタ羽根の外周部にそれぞれ形成された長孔および、該長孔に枢支される前記シャッタカバーの外周部に設けられた枢支ピンと、前記複数枚のシャッタ羽根の背面を覆う中央部に透過部が形成されたケース体の前面開口を覆う取付板とで構成されていることを特徴とする請求項１、２いずれかに記載の表示装置。
【発明の詳細な説明】
【技術分野】
【０００１】
本発明は主に遊技機に使用される表示装置に関する。
【背景技術】
【０００２】
従来の表示装置は表示部が平面で、平面表示であった。
【０００３】
このため、表示に立体感が得られないとともに、目新しさに欠けるため、表示を奇抜にしなければ飽きられるという欠点があった。
【特許文献１】特になし
【発明の開示】
【発明が解決しようとする課題】
【０００４】
本発明は以上のような従来の欠点に鑑み、立体感が得られる表示を得られ、モータの回転によって表示を変えることができ、かつ照明装置も効果的に設置が可能な、新鮮味があり、効果的に表示することができる表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は前面が開口されたケース体と、このケース体に取付けられた回転角度を任意に制御することができるモータと、このモータによって回転されるように一端部が取付けられ、他端部が開口し、外周部に少なくとも2個以上の表示部を有する、前記ケース体内に位置する球体表示具と、前記ケース体の前面開口を覆うように取付けられた複数枚のシャッタ羽根の回動によって、該ケース体内の球体表示具の表示部を見えたり、見えない状態にすることができるシャッタ表示装置とで表示装置を構成している。
【発明の効果】
【０００７】
以上の説明から明らかなように、本発明にあっては次に列挙する効果が得られる。
【０００８】
（１）前面が開口されたケース体と、このケース体に取付けられた回転角度を任意に制御することができるモータと、このモータによって回転されるように一端部が取付けられ、他端部が開口し、外周部に少なくとも2個以上の表示部を有する、前記ケース体内に位置する球体表示具と、前記ケース体の前面開口を覆うように取付けられた複数枚のシャッタ羽根の回動によって、該ケース体内の球体表示具の表示部を見えたり、見えない状態にすることができるシャッタ表示装置とで構成されているので、球体表示具の表示部をシャッタ表示装置の複数枚のシャッタ羽根の回動によって見えたり、見えない状態にすることができる。
したがって、表示部の表示を立体的に見えるようにすることができる。
【０００９】
（２）前記（１）によって、モータの回転によって球体表示具を回転させて表示部を変えることができる。
したがって、表示部の変換を容易に行なうことができる。
【００１０】
（３）前記（１）によって、モータの回転によって球体表示具を回転することができるので、その構造が簡単で、容易に設置することができる。
【００１１】
（４）前記（１）によって、復数枚のシャッタ羽根の回動によって球体表示具の表示部を見えたり、見えないようにできるので、新鮮味があり、効果的に表示部を見せることができる。
【００１２】
（５）前記（１）によって、復数枚のシャッタ羽根の回動で開閉するため、開閉状態はもちろんのこと、半開き状態にもでき、演出的な表示もできる。
【００１３】
（６）請求項２、３も前記（１）〜（５）と同様な効果が得られる。
【発明を実施するための最良の形態】
【００１４】
以下、図面に示す本発明を実施するための最良の形態により、本発明を詳細に説明する。
【００１５】
図１ないし図１５に示す本発明を実施するための最良の第１の形態において、１は遊技機に使用される本発明の表示装置で、この表示装置１は前部および上部が開口２、３されたケース体４と、このケース体４の底面４ａのほぼ中央部に複数本のビス５、５によって固定された回転角度を任意に制御することができるパルスモータやセンサー内蔵モータ６と、このモータ６の回転体７に複数本のビス８、８によって下端部が固定された、前記ケース体４内に位置する上端部が開口９する、内部の照明で効果的な演出表示が可能な球体表示具１０と、前記ケース体４の上部開口３を覆う上面カバー１１と、この上面カバー１１の内壁面に取付けられた基盤１２、この基盤１２に取付けられた前記球体表示具１０の開口９より内部に位置して、該球体表示具１０を照明する電球、ＬＥＤ等の発光体１３とからなる照明装置１４と、前記ケース体４の前部開口２を覆うように複数本のビス１５で固定されたシャッタ表示装置１６とで構成されている。
【００１６】
前記球体表示具１０は図６および図７に示すように、ほぼ中央部に軸挿入孔１７が形成され、その外周部に前記モータ６の回転体７とビス８、８によって固定されるビス挿入孔１８、１８が形成され、弧状の外周部に表示体支持部１９、１９、１９、１９が形成されたベース部材２０と、このベース部材２０の表示体支持部１９、１９、１９、１９に下端部が支持されるように取付けられて、上部が開口９するほぼ球体状となるように、表示のプリントや成型が容易になるように４個に分割された表示部２１、２１、２１、２１を有する分割表示体２２、２２、２２、２２と、この分割表示体２２、２２、２２、２２の開口部９周縁部に取付けられたリング２３とで構成されている。
なお、前記分割表示体２２、２２、２２、２２の表示部２１、２１、２１、２１は凹凸面や平面に直接印刷したり、別途印刷したシールを貼着固定することにより形成する。
【００１７】
前記シャッタ表示装置１６は図３に示すように、中央部に前記球体表示具１０のいずれかの表示部２１、２１、２１、２１を見ることができる円形状の透孔の透過部２４が形成されたシャッタカバー２５と、このシャッタカバー２５の透過部２４を覆わないように、該シャッタカバー２５の背面に回動可能に取付けられた羽根稼動リング２６と、この羽根稼動リング２６を回動させる回動機構２７と、前記羽根稼動リング２６に枢支ピン２８、２８、２８、２８、２８で枢支された、前記シャッタカバー２５の透過部２４を開閉可能に回動する５枚のシャッタ羽根２９、２９、２９、２９、２９と、前記羽根稼動リング２６の回動によって前記５枚のシャッタ羽根２９、２９、２９、２９、２９を開閉できるように、該５枚のシャッタ羽根２９、２９、２９、２９、２９の外周部にそれぞれ形成された長孔３０、３０、３０、３０、３０および、該長孔３０、３０、３０、３０、３０に枢支される前記シャッタカバー２５の背面外周部に設けられた枢支ピン３１、３１、３１、３１、３１と、前記５枚のシャッタ羽根２９、２９、２９、２９、２９の背面を覆うとともに、前記ケース体４の前部開口２を覆うように、該ケース体４に複数本のビス１５で固定状態に取付けられる取付板３２と、前記シャッタカバー２５の透過部２４を覆う透明材製のカバー３３とで構成されている。
【００１８】
前記シャッタカバー２５は図８および図９に示すように、中央部に円形状の透孔の透過部２４が形成された円盤状のシャッタカバー本体３４と、このシャッタカバー本体３４の前面外周部に、前記カバー３３を取付けるためのねじ孔３５が形成された突出された複数個の支持片３６と、前記シャッタカバー本体３４の背面の透過部２４の周縁部に形成された、前記羽根稼動リング２６を支持する支持リング３７と、前記シャッタカバー本体３４の外周部寄りの部位に形成された半円弧状のガイド溝３８と、前記シャッタカバー本体３４の外周部寄りの背面より外方へ突出するように形成された枢支ピン３１、３１、３１、３１、３１とで構成されている。
【００１９】
前記羽根稼動リング２６は図１０に示すように、前記シャッタカバー２５の支持リング３７が内部に入り込むリング状の羽根稼動リング本体３９と、この羽根稼動リング本体３９の一端部より半円弧状に突出した部位に形成された軸心方向に長い長孔４０と、前記羽根稼動リング本体３９の背面へ突出するように形成された枢支ピン２８、２８、２８、２８、２８とで構成されている。
【００２０】
前記回動機構２７は前記取付板３２に取付けられる正・逆回転モータ４１と、この正・逆回転モータ４１の駆動軸４２に取付けられた回転体４３と、この回転体４３の外周部寄りの部位に固定された、前記羽根稼動リング２６の長孔４０および前記シャッタカバー２５のガイド溝３８と係合する回動ピン４４とで構成されている。
【００２１】
前記５枚のシャッタ羽根２９、２９、２９、２９、２９は、図１１ないし図１３に示すように形成されたシャッタ羽根本体４５と、このシャッタ羽根本体４５の前記透過部２４を閉じる部位に形成された模様となる透孔で形成された透過部４６と、前記シャッタ羽根本体４５の外周部に前記羽根稼動リング２６に形成された枢支ピン２８に枢支される枢支孔４７と、前記シャッタ羽根本体４５の外周部に形成された、前記シャッタカバー２５の枢支ピン３１と遊びを介して枢支される長孔３０とで構成されている。
【００２２】
前記取付板３２は中央部に前記透過部２４とほぼ同じ大きさの透孔で形成された透過部４８が形成された取付板本体４９と、この取付板本体４９の前面に前記透過部４８の外周部で、前記シャッタカバー２５を収納できるように形成されたカバー筒５０と、前記取付板本体４９に形成された前記シャッタカバー２５を、該取付板本体４９に複数本のビス５１によって固定するための複数個のビス挿入孔２５と、前記取付板本体４９を前記ケース体４に複数本のビス１５によって固定するための複数個のビス挿入孔５３とで構成されている。
【００２３】
上記構成の表示装置１は、モータ６の回転により球体表示具１０の分割表示体２２、２２、２２、２２がケース体４の前部開口２に位置するのを変えて、異なる表示を行なうことができる。
また、球体表示具１０の内部に位置する照明装置１４の、発光体１３の点灯や点滅点灯によって効果的な演出表示を行なうことができるとともに、該照明装置１４をスライド接点を用いることなく設置することができる。
このように表示部２１、２１、２１、２１を変えることができる球体表示具１０の前面に設けられたシャッタ表示装置１６の回動機構２７の正・逆回転モータ４１を正・逆回転駆動させると、回転体４３が回転し、回動ピン４４が羽根稼動リング２６の長孔４０内をスライド移動しながらシャッタカバー２５のガイド溝３８内をスライド移動して、羽根稼動リング２６を回動させる。
この羽根稼動リング２６の回動によって、５枚のシャッタ羽根２９、２９、２９、２９、２９はシャッタカバー２５の枢支ピン３１、３１、３１、３１、３１を支点に回動して、透過部２４を図１４に示すように全開状態にして表示部２１を見える状態にしたり、図１５に示すように半開状態にして表示部２１をほぼ半分見える状態にしたり、図１に示すように全閉状態にして表示部２１を見えないようにするとともに、中央部と５枚のシャッタ羽根２９、２９、２９、２９、２９の模様となる透過部４６、４６、４６、４６、４６だけの模様が見えるようにすることができる。
[発明を実施するための異なる形態]
【００２４】
次に、図１６ないし図３１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２５】
図１６ないし図１９に示す本発明を実施するための第２の形態において、前記本発明を実施するための最良の第１の形態と主に異なる点は、ベース部材２０Ａと、このベース部材２０Ａに下端部が固定された分割表示体２２Ａ、２２Ａ、２２Ａ、２２Ａを固定する上部に固定リング５４が形成されたフレーム５５と、このフレーム５５に接着剤で固定された分割表示体２２Ａ、２２Ａ、２２Ａ、２２Ａとで構成した球体表示具１０Ａを用いるとともに、シャッタカバー本体３４Ａを透明樹脂材で形成し、透過部２４以外の部位を不透明になるように塗装したシャッタカバー２５Ａと、シャッタ羽根本体４５を透過樹脂材で形成し、透過部４６以外の部位を不透明になるように塗装したシャッタ羽根２９Ａを使用したシャッタ装置１６Ａとを用いた点で、このように構成した表示装置１Ａにしても、前記本発明を実施するための最良の第１の形態と同様な作用効果が得られる。
【００２６】
図２０ないし図２３に示す本発明を実施するための第３の形態において、前記本発明を実施するための最良の第１の形態と主に異なる点は、分割表示体２２Ｂ、２２Ｂ、２２Ｂ、２２Ｂの下端部に分割ベース部材２０Ｂ、２０Ｂ、２０Ｂ、２０Ｂを一体形成し、これらを接着剤で固定した球体表示具１０Ｂを用いるとともに、シャッタ羽根２９、２９、２９、２９の長孔３０、３０、３０、３０、３０と係合する係合ピン３１、３１、３１、３１、３１と、羽根稼動リング２６の枢支ピン２８、２８、２８、２８、２８の先端部が挿入される弧状の凹部５６、５６、５６、５６、５６を形成した取付板３２Ａを使用したシャッタ表示装置を用いた点で、このように構成した表示装置１Ｂにしても、前記本発明を実施するための最良の第１の形態と同様な作用効果が得られる。
【００２７】
図２４ないし図２６に示す本発明を実施するための第４の形態において、前記本発明を実施するための最良の第１の形態と主に異なる点は、ベース部材２０Ｃと一体形成された半球状の下部分割表示体５７と、この下部分割表示体５７の上部を覆う上部開口９が形成された上部分割表示体５８とで構成した球体表示具１０Ｃを用いた点で、このような球体表示具１０Ｃを用いて構成した表示装置１Ｃにしても、前記本発明を実施するための最良の第１の形態と同様な作用効果が得られる。
【００２８】
図２７ないし図２９に示す本発明を実施するための第５の形態において、前記本発明を実施するための最良の第１の形態と主に異なる点は、ベース部材２０Ｄの底面中央部にケース体４の底面４ａのほぼ中央部の軸受孔５９に回転可能に支持される軸６０に固定するとともに、外周部に歯車６１が形成された球体表示具１０Ｄと、この球体表示具１０Ｄの歯車６１と噛み合う小歯車６２が回転体７に取付けられたモータ６を用いた点で、このように構成した表示装置１Ｄにしても前記本発明を実施するための最良の第１の形態と同様な作用効果が得られる。
【００２９】
図３０に示す本発明を実施するための第６の形態において、前記本発明を実施するための最良の第１の形態と主に異なる点は、回転角度を任意に制御することができるパルスモータやセンサー内蔵モータ６の回転体としての駆動軸６ａを球体表示具１０のほぼ中央部底面に形成した駆動軸挿入孔６３に圧入して固定するとともに、照明装置１４を基盤１２より吊り下げるように取り付けた点で、このように構成した表示装置１Ｅにしても前記本発明を実施するための最良の第１の形態と同様な作用効果が得られる。
【００３０】
図３１に示す本発明を実施するための第７の形態において、前記本発明を実施するための最良の第１の形態と主に異なる点は、回転角度を任意に制御することができるパルスモータやセンサー内蔵モータ６の駆動軸６ａに回転体７を固定し、
この回転体７を球体表示具１０のほぼ中央部底面に形成した回転体収納凹部６４に収納して、複数本のビス８、８によって固定するとともに、照明装置１４を基盤１２より吊り下げるように取り付けた点で、このように構成した表示装置１Ｆにしても前記本発明を実施するための最良の第１の形態と同様な作用効果が得られる。
【００３１】
なお、前記本発明を実施するための各形態では４個と２個に分割された分割表示体を用いるものについて説明したが、本発明はこれに限らず、３個や４個以上に分割したものを用いてもよい。
また、分割表示体を接着剤により固定する以外に、嵌め込み等の方法により、接着剤を使用せずに固定することもできる。
さらに、表示部も４個設けるものについて説明したが、２個、３個、５個以上であってもよい。
前記本発明の各実施の形態ではケース体４内に回転可能に取付けられた球状の表示具を備えたものを図示したが、本発明はこれに限らず、絵柄、フィギア、ＬＥＤ等の光源、液晶ディスプレイ等を用いた、従来から一般に使用されている表示体であればどんなものであってもよい。
さらに、本発明の各実施の形態では回動機構２７として、正・逆回転モータ４１を用いるものについて説明したが、本発明はこれに限らず、ＳＭＡアクチュエータ、リニア駆動モータ、カム機構と一定方向に回転するモータを組合わせたもの、ソレノイド等を用いてもよい。
【産業上の利用可能性】
【００３２】
本発明は主に遊技機に使用される表示装置を製造する産業で利用される。
【図面の簡単な説明】
【００３３】
【図１】本発明を実施するための最良の第１の形態の正面図。
【図２】本発明を実施するための最良の第１の形態の側面図。
【図３】本発明を実施するための最良の第１の形態の分解斜視図。
【図４】本発明を実施するための最良の第１の形態のケース体を取付けた球体表示具の斜視図。
【図５】図４の５−５線に沿う断面図。
【図６】本発明を実施するための最良の第１の形態の球体表示具の斜視図。
【図７】本発明を実施するための最良の第１の形態の球体表示具の分解図。
【図８】本発明を実施するための最良の第１の形態のシャッタカバーの前部を示す斜視図。
【図９】本発明を実施するための最良の第１の形態のシャッタカバーの後部を示す斜視図。
【図１０】本発明を実施するための最良の第１の形態の羽根稼動リングの後部を示す斜視図。
【図１１】本発明を実施するための最良の第１の形態のシャッタ羽根の説明図。
【図１２】本発明を実施するための最良の第１の形態のシャッタ羽根の閉状態の説明図。
【図１３】本発明を実施するための最良の第１の形態のシャッタ羽根の開状態の説明図。
【図１４】本発明を実施するための最良の第１の形態の全開状態の説明図。
【図１５】本発明を実施するための最良の第１の形態の半開状態の説明図。
【図１６】本発明を実施するための第２の形態の正面図。
【図１７】本発明を実施するための第２の形態の分解斜視図。
【図１８】本発明を実施するための第２の形態の球体表示具の分解斜視図。
【図１９】本発明を実施するための第２の形態のシャッタカバーの説明図。
【図２０】本発明を実施するための第３の形態の正面図。
【図２１】本発明を実施するための第３の形態の分解斜視図。
【図２２】本発明を実施するための第３の形態の球体表示具の分解斜視図。
【図２３】本発明を実施するための第３の形態のシャッタ羽根の取付け状態の斜視図。
【図２４】本発明を実施するための第４の形態の正面図。
【図２５】本発明を実施するための第４の形態の分解斜視図。
【図２６】本発明を実施するための第４の形態の球体表示具の分解斜視図。
【図２７】本発明を実施するための第５の形態の正面図。
【図２８】本発明を実施するための第５形態の分解斜視図。
【図２９】本発明を実施するための第５の形態の球体表示具の説明図。
【図３０】本発明を実施するための第６の形態の要部断面図。
【図３１】本発明を実施するための第７の形態の要部断面図。
【符号の説明】
【００３４】
１、１Ａ、１Ｂ、１Ｃ、１Ｄ、１Ｅ、１Ｆ：表示装置、
２：前部開口、                ３：上部開口、
４：ケース体、                ５：ビス、
６：モータ、                  ７：回転体、
８：ビス、                    ９：開口、
１０、１０Ａ、１０Ｂ、１０Ｃ、１０Ｄ：球体表示具、
１１：上面カバー、            １２：基盤、
１３：発光体、                １４：照明器具、
１５：ビス、            
１６、１６Ａ：シャッタ表示装置、
１７：軸挿入孔、              １８：ビス挿入孔、
１９：表示体支持部、
２０、２０Ａ、２０Ｂ、２０Ｃ、２０Ｄ：ベース部材、
２１：表示部、
２２、２２Ａ、２２Ｂ：分割表示体、
２３：固定リング、            ２４：透過部、
２５、２５Ａ：シャッタカバー、２６：羽根稼動リング、
２７：回動機構、              ２８：枢支ピン、
２９、２９Ａ：シャッタ羽根、  ３０：長孔、
３１：枢支ピン、              ３２、３２Ａ：取付板、
３３：カバー、
３４、３４Ａ：シャッタカバー本体、
３５：ねじ孔、                ３６：支持片、
３７：支持リング、            ３８：ガイド溝、
３９：羽根稼動リング本体、    ４０：長孔、
４１：正・逆回転モータ、      ４２：駆動軸、
４３：回転体、                ４４：回動ピン、
４５：シャッタ羽根本体、      ４６：透過部、
４７：枢支孔、                ４８：透過部、
４９：取付板本体、            ５０：カバー筒、
５１：ビス、                  ５２：ビス挿入孔、
５３：ビス挿入孔、            ５４：固定リング、
５５：フレーム、              ５６：凹部、
５７：下部分割表示体、        ５８：上部分割表示体、
５９：軸受孔、                ６０：軸、
６１：歯車、                  ６２：小歯車、
６３：駆動軸挿入孔、          ６４：回転体収納凹部。
【図１】
2007097856.tif 000003
【図２】
2007097856.tif 000004
【図３】
2007097856.tif 000005
【図４】
2007097856.tif 000006
【図５】
2007097856.tif 000007
【図６】
2007097856.tif 000008
【図７】
2007097856.tif 000009
【図８】
2007097856.tif 000010
【図９】
2007097856.tif 000011
【図１０】
2007097856.tif 000012
【図１１】
2007097856.tif 000013
【図１２】
2007097856.tif 000014
【図１３】
2007097856.tif 000015
【図１４】
2007097856.tif 000016
【図１５】
2007097856.tif 000017
【図１６】
2007097856.tif 000018
【図１７】
2007097856.tif 000019
【図１８】
2007097856.tif 000020
【図１９】
2007097856.tif 000021
【図２０】
2007097856.tif 000022
【図２１】
2007097856.tif 000023
【図２２】
2007097856.tif 000024
【図２３】
2007097856.tif 000025
【図２４】
2007097856.tif 000026
【図２５】
2007097856.tif 000027
【図２６】
2007097856.tif 000028
【図２７】
2007097856.tif 000029
【図２８】
2007097856.tif 000030
【図２９】
2007097856.tif 000031
【図３０】
2007097856.tif 000032
【図３１】
2007097856.tif 000033